(57)【要約】【課題】  取付け具を再利用できるようにするとともに、その再利用により遊技ホール側での経費が嵩まないようにする。【解決手段】  取付け具１０Ａは、灰皿口２ａを塞ぐようにプレート１１を灰皿２上面に載置し、同時に固定部材１３Ａの嵌合部材１３ａを賞貨受皿１の枠１ａに嵌合させ、ビス１３ｂにより嵌合部材１３ａをその枠１ａに取り付けることで、取付け具１０Ａのプレート１１が灰皿２上面に固定される。一方、ビス１３ｂを緩め、固定部材１３Ａの嵌合部材１３ａを賞貨受皿１の枠１ａから外すことで、取付け具１０Ａが取り外される。【選択図】  図２
2007014446.tif 000002
【特許請求の範囲】
【請求項１】
遊技用機器の灰皿口を塞ぐ大きさのプレートと、
該プレートの一側に延設された支持プレートと、
該支持プレートの下面に突設され、前記遊技用機器の賞貨受皿の枠に固定される固定手段とを備える
ことを特徴とする取付け具。
【請求項２】
前記プレートの上面に、一端がヒンジにより開放自在とされ、前記プレートの上面より突設する支持ピンの螺挿により前記ヒンジを支点として傾斜角度が任意に調節される補助プレートが取り付けられていることを特徴とする請求項１に記載の取付け具。
【請求項３】
前記プレートの上面に、前記補助プレートの傾斜角度を規制するストッパーが取り付けられていることを特徴とする請求項２に記載の取付け具。
【請求項４】
前記プレートの上面に、灰皿、飲料缶あるいは飲料ボトルの滑動を防ぐ枠体が立設されていることを特徴とする請求項１に記載の取付け具。
【請求項５】
前記補助プレートの上面に、灰皿、飲料缶あるいは飲料ボトルの滑動を防ぐ枠体が立設されていることを特徴とする請求項２又は３に記載の取付け具。
【請求項６】
前記固定手段が前記遊技用機器の賞貨受皿の枠に嵌合される嵌合部材と、この嵌合部材を前記枠に固定するビスとからなることを特徴とする請求項１〜５のいずれかに記載の取付け具。
【請求項７】
前記固定手段が前記賞貨受皿の枠に圧入されて固定される板ばねであることを特徴とする請求項１〜５のいずれかに記載の取付け具。
【請求項８】
前記固定手段が前記遊技用機器の賞貨受皿の枠に嵌合される嵌合部材と、前記枠に圧接して前記嵌合部材を前記枠に固定するねじとからなることを特徴とする請求項１〜５のいずれかに記載の取付け具。
【請求項９】
前記固定手段が前記遊技用機器の賞貨受皿の枠に嵌合される嵌合部材と、この嵌合部材を前記枠に仮着する粘着テープとからなることを特徴とする請求項１〜５のいずれかに記載の取付け具。
【発明の詳細な説明】
【技術分野】
【０００１】
本発明は、スロットマシン等の遊技用機器の賞貨受皿の枠に固定されて遊技用機器に一体に据え付けられた灰皿口を塞いだりする取付け具に関する。
【背景技術】
【０００２】
スロットマシン等の遊技用機器に一体に据え付けられた賞貨受皿の一側には、遊技者が使用するための小型の灰皿が一体に組み込まれている。ところで、その灰皿は、非常に小さいために、数本の煙草の吸殻で煙草の灰とともにいっぱいになり、そのままにしておくと遊技ホールの清潔感等が損なわれるため、定期的に遊技ホールの従業員により灰皿の清掃が行われる。
【０００３】
ところが、その灰皿は遊技用機器に一体に据え付けられているため、煙草の吸殻や灰の取り出しが困難であるばかりか、清掃の際に灰が周囲に散ることがあり、灰皿の周囲をふき取る等の作業も必要となることから、非常にやっかいな作業となっていた。
【０００４】
そのため、遊技ホールでは、灰皿面を塞ぐプレートを両面テープ等で灰皿口に取り付け、遊技用機器に一体に据え付けられている灰皿を使用できないようにし、別途、個々の遊技用機器毎に灰皿を用意し、清掃の際は別途用意した灰皿を空の灰皿と交換するか、あるいは煙草の吸殻や灰でいっぱいになった灰皿の中身をバケツ等に移し換えるようにすることで、灰皿の清掃が容易となるように工夫している。
【０００５】
このような灰皿に関するものとして、特許文献１では、裏側に磁石が固定されたプレートによって遊戯用機器備付け灰皿の灰皿口を覆うように接着等によって固定し、磁性体で構成された灰皿が磁石によってプレート上に半固定状態で固定されるようにした遊戯用機器に取付け可能な灰皿を提案している。
【特許文献１】特開２００１−７９１３８号公報
【発明の開示】
【発明が解決しようとする課題】
【０００６】
ところで、遊技ホールでは客を飽きさせないために、遊技用機器の入れ替えが頻繁に行われている。そのため、入れ替えの度に、特許文献１のようにプレートを灰皿の灰皿口を覆うように接着等によって固定するようにすると、一旦使用したプレートの使い回しができず、使い捨てとなることから、予め新たなプレートを多数用意しておかなければならず、遊技用機器の入れ替えにコストがかかりすぎるという問題があった。
【０００７】
このような問題は、特に設置台数の多い大型店では顕著であり、コストが嵩むとその分を客から回収しなければならないといった悪循環に陥り、客離れを招いてしまうおそれがあるので、遊技用機器の入れ替えが頻繁に行われてもコストをかけずに灰皿の灰皿口を覆うことができる取付け具の開発が望まれている。
【０００８】
本発明は、このような状況に鑑みてなされたものであり、遊技用機器の入れ替えに際しても再利用でき、しかも遊技ホール側での経費が嵩まないようにすることができる取付け具を提供することを目的とする。
【課題を解決するための手段】
【０００９】
本発明の取付け具は、遊技用機器の灰皿口を塞ぐ大きさのプレートと、該プレートの一側に延設された支持プレートと、該支持プレートの下面に突設され、前記遊技用機器の賞貨受皿の枠に固定される固定手段とを備えることを特徴とする。
【００１０】
また、前記プレートの上面に、一端がヒンジにより開放自在とされ、前記プレートの上面より突設する支持ピンの螺挿により前記ヒンジを支点として傾斜角度が任意に調節される補助プレートが取り付けられているようにしてもよい。
【００１１】
また、前記プレートの上面に、前記補助プレートの傾斜角度を規制するストッパーが取り付けられているようにしてもよい。
【００１２】
また、前記プレートの上面に、灰皿、飲料缶あるいは飲料ボトルの滑動を防ぐ枠体が立設されているようにしてもよい。
【００１３】
また、前記補助プレートの上面に、灰皿、飲料缶あるいは飲料ボトルの滑動を防ぐ枠体が立設されているようにしてもよい。
【００１４】
また、前記固定手段が前記遊技用機器の賞貨受皿の枠に嵌合される嵌合部材と、この嵌合部材を前記枠に固定するビスとからなるようにしてもよい。
【００１５】
また、前記固定手段が前記賞貨受皿の枠に圧入されて固定される板ばねであるようにしてもよい。
【００１６】
また、前記固定手段が前記遊技用機器の賞貨受皿の枠に嵌合される嵌合部材と、前記枠に圧接して前記嵌合部材を前記枠に固定するねじとからなるようにしてもよい。
【００１７】
また、前記固定手段が前記遊技用機器の賞貨受皿の枠に嵌合される嵌合部材と、この嵌合部材を前記枠に仮着する粘着テープとからなるようにしてもよい。
【発明の効果】
【００１８】
本発明の取付け具によれば、支持プレートの下面の固定手段を介して遊技用機器の灰皿口を塞ぐプレートが遊技用機器の賞貨受皿の枠に固定されるため、固定手段による固定を解くことで、遊技用機器の入れ替えに際しても再利用でき、その再利用により遊技ホール側での経費が嵩まないようにすることができる。
【発明を実施するための最良の形態】
【００１９】
本実施形態では、支持プレートの下面の固定手段を介して遊技用機器の灰皿口を塞ぐプレートが遊技用機器の賞貨受皿の枠に固定されるようにし、固定手段による固定を解くことで、遊技用機器の入れ替えに際しても再利用できるようにし、その再利用により遊技ホール側での経費が嵩まないようにした。
【実施例】
【００２０】
以下、本発明の実施の形態について説明する。
（実施例１）
図１は、本発明の実施例１に係る取付け具が装着される遊技用機器の賞貨受皿の近傍を示す斜視図、図２は、図１の賞貨受皿に本発明の実施例１に係る取付け具が装着された状態を示す斜視図である。
【００２１】
図１に示す枠１ａを有する賞貨受皿１は、スロットマシン等の遊技用機器に一体に据え付けられており、賞貨受皿１の一側には遊技者が使用するための灰皿口２ａを有する小型の灰皿２が一体に組み込まれている。本実施例１では、図２に示すような取付け具１０Ａによって灰皿口２ａを塞いだりすることができるようにしている。
【００２２】
すなわち、取付け具１０Ａは、灰皿口２ａを塞ぐ大きさのプレート１１と、このプレート１１の一側に延設した支持プレート１２と、この支持プレート１２の下面に突設され、賞貨受皿１の枠１ａに固定される固定手段としての固定部材１３Ａとを備えている。
【００２３】
プレート１１は平坦であるため、プレート１１上面に小型の灰皿等を載置することができる。支持プレート１２は、賞貨受皿１の枠１ａに沿ってプレート１１から延設されているため、入賞によって賞貨受皿１に貯まったコインを取り出す際に妨げられることもない。
【００２４】
固定部材１３Ａは、賞貨受皿１の枠１ａに嵌合される断面コ字形状の嵌合部材１３ａを有し、嵌合部材１３ａに設けられた図示しない孔に挿入されるたとえばビス１３ｂにより、嵌合部材１３ａが賞貨受皿１の枠１ａに取り付けられることで、プレート１１が灰皿２上面に固定される。なお、固定部材１３Ａについては、嵌合部材１３ａやビス１３ｂによって構成されるもの以外に様々な形態があるが、それらの形態の詳細については後述する。
【００２５】
このような構成の取付け具１０Ａでは、灰皿口２ａを塞ぐようにプレート１１を灰皿２上面に載置し、同時に固定部材１３Ａの嵌合部材１３ａを賞貨受皿１の枠１ａに嵌合させ、ビス１３ｂにより嵌合部材１３ａをその枠１ａに取り付けることで、プレート１１が灰皿２上面に固定される。これにより、灰皿口２ａがプレート１１によって塞がれるため、遊技用機器に一体に据え付けられている灰皿２を使用できなくすることができる。
【００２６】
この場合、プレート１１が平坦であるため、プレート１１上面に別途用意した小型の灰皿を載置できるる。そして、灰皿の清掃の際は、煙草の吸殻や灰でいっぱいになった灰皿を空の灰皿と交換するか、あるいは煙草の吸殻や灰でいっぱいになった灰皿の中身をバケツ等に移し換えるようにすることができる。また、プレート１１上面が平坦であるため、煙草を吸わない遊技者はそのプレート１１上面に携帯電話等を載置しておくことも可能である。
【００２７】
一方、取付け具１０Ａの固定を解く際は、ビス１３ｂを緩め、固定部材１３Ａの嵌合部材１３ａを賞貨受皿１の枠１ａから取り外せばよい。このように、ビス１３ｂを締め付けるか緩めるかで、取付け具１０Ａの装脱が容易である。よって、遊技用機器の入れ替えが行われる際は、入れ替え対象となる遊技用機器の賞貨受皿１から取り外した取付け具１０Ａを、新たに搬入される遊技用機器の賞貨受皿１に簡単に装着でき、取付け具１０Ａの再利用が可能となる。
【００２８】
このように、実施例１での取付け具１０Ａは、灰皿口２ａを塞ぐようにプレート１１を灰皿２上面に載置し、同時に固定部材１３Ａの嵌合部材１３ａを賞貨受皿１の枠１ａに嵌合させ、ビス１３ｂにより嵌合部材１３ａをその枠１ａに取り付けることで、プレート１１を灰皿２上面に固定することができる。一方、ビス１３ｂを緩め、固定部材１３Ａの嵌合部材１３ａを賞貨受皿１の枠１ａから外すことで、取付け具１０Ａを取り外すことができる。
【００２９】
このように、ビス１３ｂを締め付けるか緩めるかで、取付け具１０Ａの装脱が容易であり、遊技用機器の入れ替えが行われる際は、入れ替え対象となる遊技用機器の賞貨受皿１から取り外した取付け具１０Ａを、新たに搬入される遊技用機器の賞貨受皿１に簡単に装着でき、取付け具１０Ａを再利用できるようにするとともに、その再利用により遊技ホール側での経費が嵩まないようにすることができる。
【００３０】
また、このような取付け具１０Ａを用いることで、特に設置台数の多い大型店であっては、遊技用機器の入れ替えに要する経費が抑えられるので、客からの回収分を少なくでき、結果的に客離れが抑えられるため、健全な営業を営むことが可能となる。
【００３１】
（実施例２）
図３は、図２の取付け具１０Ａの構成を変えた場合の実施例２を説明するための斜視図である。なお、以下に説明する図において、図２と共通する部分には同一符号を付し重複する説明を適宜行うものとする。
【００３２】
図３に示す取付け具１０Ｂは、プレート１１の上面に、一端がヒンジ１５により開放自在とされ、プレート１１に設けられたねじ孔１６ａから突設する支持ピン１６の螺挿によりよりヒンジ１５を支点として傾斜角度が任意に調節される補助プレート１４を有している。また、ヒンジ１５の近傍には、補助プレート１４の跳ね返りを防ぐために、補助プレート１４の傾斜角度を規制するストッパー１７が設けられている。
【００３３】
このような構成の取付け具１０Ｂでは、支持ピン１６の螺挿により、ヒンジ１５を支点として補助プレート１４の傾斜角度が任意に調節されるため、賞貨受皿１や灰皿の傾斜に合わせて補助プレート１４の上面が水平に保たれる。すなわち、賞貨受皿１は、たとえばコインの取り出しを容易とするために手前側に向かって低くなるように傾斜し、併せて灰皿口２ａも手前側に向かって低くなるように傾斜していることがある。
【００３４】
この場合、単にプレート１１を灰皿口２ａを塞ぐように載置すると、プレート１１の上面が同様に手前側に向かって低くなるように傾斜してしまうが、補助プレート１４の傾斜角度を任意に調節することで、補助プレート１４の上面を水平に保つことができる。
【００３５】
このように、実施例２での取付け具１０Ｂは、支持ピン１６の螺挿により、ヒンジ１５を支点として補助プレート１４の傾斜角度が任意に調節されるようにしたので、実施例１での作用効果に加え、遊技用機器毎に異なる賞貨受皿１や灰皿の傾斜に合わせて補助プレート１４の上面を水平に保つことができる。
【００３６】
（実施例３）
図４は、図２の取付け具１０Ａの構成を変えた場合の実施例３を説明するための斜視図であり、図５は、図４の取付け具の使用形態を示す斜視図である。
【００３７】
図４に示す取付け具１０Ｃは、プレート１１上に立設された枠体１８を有している。この枠体１８は、図５に示すように、たとえば灰皿３０を保持できる位置に対向配置されているものであり、さらに灰皿３０の外形に合わせて湾曲し、灰皿３０の滑動を防ぐ形状となっている。なお、枠体１８は、灰皿３０に限らず、飲料缶あるいは飲料ボトルを保持し、これらの飲料缶あるいは飲料ボトルの滑動を防ぐことも可能である。また、煙草を吸わない遊技者はそのプレート１１上面の枠体１８内に携帯電話等を滑動しないように載置しておくことも可能である。
【００３８】
このように、実施例３での取付け具１０Ｃは、プレート１１上に枠体１８を立設したので、実施例１での作用効果に加え、プレート１１の上面が水平となっていなくても、灰皿３０に限らず、飲料缶あるいは飲料ボトル、さらには携帯電話を滑動しないようにプレート１１上に載置しておくことができる。
【００３９】
（実施例４）
図６は、図３の取付け具１０Ｂの構成を変えた場合の実施例４を説明するための斜視図であり、図７は、図６の取付け具の使用形態を示す斜視図である。なお、以下に説明する図において図３と共通する部分には同一符号を付し重複する説明を省略する。
【００４０】
図６に示す取付け具１０Ｄは、補助プレート１４に立設された枠体１８ａを有している。この枠体１８ａは、図７に示すように、たとえば飲料缶３１を保持できる位置に対向配置されているものであり、さらに飲料缶３１の外形に合わせて湾曲し、飲料缶３１の滑動を防ぐ形状となっている。なお、枠体１８ａは、飲料缶３１に限らず、上述した灰皿３０あるいは飲料ボトルを保持し、これらの灰皿３０あるいは飲料ボトルの滑動を防ぐことも可能である。また、煙草を吸わない遊技者はその補助プレート１４上面の枠体１８ａ内に携帯電話等を滑動しないように載置しておくことも可能である。
【００４１】
このように、実施例４での取付け具１０Ｄは、補助プレート１４上に枠体１８ａを立設したので、実施例１での作用効果に加え、補助プレート１４の傾斜角度を任意に調節できることに併せて、飲料缶３１に限らず、上述した灰皿３０あるいは飲料ボトル、さらには携帯電話を滑動しないように補助プレート１４上に載置しておくことができる。
【００４２】
（実施例５）
図８は、図４に示した取付け具１０Ｃの固定部材１３Ａの形態を変えた場合の実施例５を説明するための図である。
【００４３】
図８に示す固定部材１３Ｂは、断面コ字形状の嵌合部材１３ａにビス孔１３ｃが形成され、賞貨受皿１の枠１ａにもそのビス孔１３ｃに貫通するように貫通孔１ｂが形成されている。
【００４４】
このような構成では、断面コ字形状の嵌合部材１３ａにビス孔１３ｃと賞貨受皿１の枠１ａの貫通孔１ｂとを位置決めし、ビス孔１３ｃと貫通孔１ｂとにビス１３ｂを挿通し、ビス１３ｂの先端をナット１３ｄで締めることにより、固定部材１３Ｂが賞貨受皿１の枠１ａに固定される。
【００４５】
一方、ナット１３ｄを緩めてビス１３ｂをビス孔１３ｃと貫通孔１ｂとから抜き出すことにより、固定部材１３Ｂの賞貨受皿１の枠１ａでの固定を容易に解くことができる。
【００４６】
このように、実施例５での固定部材１３Ｂは、ビス孔１３ｃと貫通孔１ｂとにビス１３ｂを挿通し、ビス１３ｂの先端をナット１３ｄで締めることにより、賞貨受皿１の枠１ａに固定されるので、実施例１及び実施例３での作用効果に加え、賞貨受皿１の枠１ａへの固定を強固に行うことができる。
【００４７】
（実施例６）
図９は、図４に示した取付け具１０Ｃの固定部材１３Ａの形態を変えた場合の実施例６を説明するための図である。
【００４８】
図９に示す固定部材１３Ｃは、賞貨受皿１の枠１ａに圧入されて固定される板ばね１３ｅで構成されている。このような構成では、板ばね１３ｅを賞貨受皿１の枠１ａに圧入するだけで枠１ａへの固定が完了するため、賞貨受皿１への着脱が極めて容易となる。
【００４９】
このように、実施例６での固定部材１３Ｃは、板ばね１３ｅを賞貨受皿１の枠１ａに圧入するだけで枠１ａへの固定が完了するため、実施例１及び実施例３での作用効果に加え、賞貨受皿１への着脱を極めて容易に行える。
【００５０】
（実施例７）
図１０は、図４に示した取付け具１０Ｃの固定部材１３Ａの形態を変えた場合の実施例７を説明するための図である。
【００５１】
図１０に示す固定部材１３Ｄは、断面コ字形状の嵌合部材１３ａの図示しないねじ孔に挿通されるねじ１３ｆの先端が賞貨受皿１の枠１ａに圧接し、嵌合部材１３ａが賞貨受皿１の枠１ａに固定される構成となっている。
【００５２】
このような構成では、断面コ字形状の嵌合部材１３ａを賞貨受皿１の枠１ａに嵌合し、嵌合部材１３ａの図示しないねじ孔にねじ１３ｆを挿通し、そのねじ１３ｆの先端を賞貨受皿１の枠１ａに圧接することで固定される。一方、ねじ１３ｆを緩めるだけで、固定部材１３Ｄの賞貨受皿１の枠１ａでの固定が解かれる。
【００５３】
このように、実施例７での固定部材１３Ｄは、実施例１及び実施例３での作用効果に加え、ねじ１３ｆを締め付けるか緩めるかで賞貨受皿１の枠１ａでの固定あるいは固定解除を容易に行うことができる。
【００５４】
（実施例８）
図１１は、図１０の固定部材１３Ｄの形態を変えた場合の実施例８を説明するための図である。
【００５５】
図１１に示す固定部材１３Ｅは、ねじ１３ｆの先端に遊嵌キャップ１３ｇが装着され、さらに賞貨受皿１の枠１ａの内側と嵌合部材１３ａの内側との間に滑止め部材１３ｈが設けられた構成となっている。
【００５６】
このような構成では、ねじ１３ｆの先端に遊嵌キャップ１３ｇが装着されているため、ねじ１３ｆを締め付けても賞貨受皿１の枠１ａにキズを付けることが無くなる。また、賞貨受皿１の枠１ａの内側と嵌合部材１３ａの内側との間に滑止め部材１３ｈが設けられているため、賞貨受皿１の枠１ａから嵌合部材１３ａがずれることも無くなる。
【００５７】
このように、実施例８の固定部材１３Ｅでは、ねじ１３ｆの先端に遊嵌キャップ１３ｇを装着し、さらに賞貨受皿１の枠１ａの内側と嵌合部材１３ａの内側との間に滑止め部材１３ｈを設けるようにしたので、実施例１、実施例３及び実施例７での作用効果に加え、賞貨受皿１の枠１ａにキズを付けないようにすることができ、さらに滑止め部材１３ｈにより賞貨受皿１の枠１ａからの嵌合部材１３ａのずれを確実に防止することができる。
【００５８】
なお、実施例５〜実施例７での固定部材１３Ｂ〜１３Ｅは、実施例１での取付け具１０Ａ、実施例２での取付け具１０Ｂ、実施例４での取付け具１０Ｄに適用してもよいことは勿論である。
【００５９】
また、以上の各実施例では、ビス１３ｂやねじ１３ｆ等によって嵌合部材１３ａを賞貨受皿１の枠１ａに固定する場合について説明したが、これらの例に限らず、粘着テープを介して嵌合部材１３ａが賞貨受皿１の枠１ａに仮着されるような構成としてもよい。
【産業上の利用可能性】
【００６０】
スロットマシンに限らず灰皿が機器本体に一体に据え付けられたものであればよく、パチンコ等の遊技用機器全般に適用可能である。
【図面の簡単な説明】
【００６１】
【図１】本発明の実施例１に係る取付け具が装着される遊技用機器の賞貨受皿の近傍を示す斜視図である。
【図２】図１の賞貨受皿に本発明の実施例１に係る取付け具が装着された状態を示す斜視図である。
【図３】図２の取付け具の構成を変えた場合の実施例２を説明するための斜視図である。
【図４】図２の取付け具の構成を変えた場合の実施例３を説明するための斜視図である。
【図５】図４の取付け具の使用形態を示す斜視図である。
【図６】図３の取付け具の構成を変えた場合の実施例４を説明するための斜視図である。
【図７】図６の取付け具の使用形態を示す斜視図である。
【図８】図４に示した取付け具の固定部材の形態を変えた場合の実施例５を説明するための図である。
【図９】図４に示した取付け具の固定部材の形態を変えた場合の実施例６を説明するための図である。
【図１０】図４に示した取付け具の固定部材の形態を変えた場合の実施例７を説明するための図である。
【図１１】図１０の固定部材の形態を変えた場合の実施例８を説明するための図である。
【符号の説明】
【００６２】
１  賞貨受皿
１ａ  枠
２  灰皿
２ａ  灰皿口
１０Ａ〜１０Ｄ  取付け具
１１  プレート
１２  支持プレート
１３Ａ〜１３Ｅ  固定部材
１３ａ  嵌合部材
１３ｂ  ビス
１３ｄ  ナット
１３ｅ  板ばね
１３ｆ  ねじ
１３ｇ  遊嵌キャップ
１３ｈ  滑止め部材
１４  補助プレート
１５  ヒンジ
１６  支持ピン
１７  ストッパー
１８，１８ａ  枠体
３０  灰皿
３１  飲料缶
【図１】
2007014446.tif 000003
【図２】
2007014446.tif 000004
【図３】
2007014446.tif 000005
【図４】
2007014446.tif 000006
【図５】
2007014446.tif 000007
【図６】
2007014446.tif 000008
【図７】
2007014446.tif 000009
【図８】
2007014446.tif 000010
【図９】
2007014446.tif 000011
【図１０】
2007014446.tif 000012
【図１１】
2007014446.tif 000013